(57)【特許請求の範囲】
【請求項１】
１枚のシート材で形成され、方形の底面部材と、この方形の底面部材の四辺に繋がれた４つの側面部材と、隣り合う前記側面部材の間に繋がれた４つの折り代部材と、一対の前記側面部材から延設された一対の固定部材と、他の前記側面部材に繋がれた蓋部材とを備え、
前記固定部材を容器の外側に折り返して係止するための第１の係止部を、前記側面部材に重ねる部材により形成し、当該第１の係止部は、前記固定部材と側面部材との間に、２つの前記折り代部材を挟持させ、
さらに、前記容器を閉塞した前記蓋部材を係止する第２の係止部を前記固定部材に形成した、折り畳み容器。
【請求項２】
前記側面部材に重ねる部材が、前記折り代部材である、請求項１に記載の折り畳み容器。
【請求項３】
前記一対の側面部材のうち一方の側面部材に設けた前記第１の係止部に、他方の側面部材から延設された他方の固定部材を係止できるように構成した、請求項１に記載の折り畳み容器。
【発明の詳細な説明】
【技術分野】
【０００１】
本発明は、折り畳み容器に係り、特に、食品を入れるのに好適な折り畳み容器に関する。
【背景技術】
【０００２】
環境保護運動の一つとして、いわゆるエコバッグの普及が進んでいる。小売店のレジ袋を使わずに消費者が持参したバッグを繰り返し使用することにより、ごみの削減や、温室効果ガスの削減を図るものである。本願出願人は、食品の包装容器について同様の環境保護運動に取り組んでいる。食品を持ち運ぶ際、組立容器（折り畳み容器）に食品を入れて持ち運び、この容器を繰り返し使用することにより、ごみの削減、温室効果ガスの削減を目指している。
【０００３】
そのような容器の理想は、コンパクトに折り畳んで携帯できること、使用中に液体物がこぼれない構造、洗って繰り返し使用できる素材、容器と蓋とが一体になっていること、ケーキ箱のように容器の側部からも食品の出し入れができること、などの多くの条件を満たすものとなる。
【０００４】
引用文献１に開示されたテイクアウト用紙容器は、使用前は折り畳んで保存でき、使用時には容易に組立ができ、さらに内容物由来の油や水が紙容器の四隅から漏れ難い構造となっている。
【０００５】
しかし、容器と蓋とが別体となっており、容器と蓋とを個別に組み立てなければならない。また、容器を組み立てる際に舌片を接着するので、使用後に再度折り畳むということが難しい。また、容器を組み立てた後に当該容器の側部から食品を出し入れすることができない。
【０００６】
よって、食品を持ち運ぶ際、組立容器（折り畳み容器）に食品を入れて持ち運び、この容器を繰り返し使用することにより、ごみの削減、温室効果ガスの削減を図る、という目的に照らし、好適な構造の容器とはいえない。
また、引用文献２に開示された食品収納容器は、不使用時に嵩張らず、使用時に液漏れがなく、組み立て、分解が容易で、再利用が可能であり、衛生的な食品収納容器を提供する。組立時には、一対のコーナー板部６をカバー板部７で外装し、該カバー板部７を係止した構成となる（引用文献２の要約より）。これにより、係止部が、端板部４に重ねる一対のコーナー板部６により形成される。
【先行技術文献】
【特許文献】
【０００７】
【特許文献１】特開２００８−１２０４５３号公報
【特許文献２】登録実用新案第３１６１６５０号公報
【発明の概要】
【発明が解決しようとする課題】
【０００８】
本発明は、食品を持ち運ぶ際、組立容器（折り畳み容器）に食品を入れて持ち運び、この容器を繰り返し使用する、という目的に好適な折り畳み容器を提供することを課題とする。このような容器は、食品のテイクアウト、食べきれなかった食品を持ち帰るドギーバッグや弁当箱などに好適である。
【課題を解決するための手段】
【０００９】
この課題を解決するため、本発明は以下の構成を採る。
防水性の１枚のシート材で形成され、方形の底面部材と、この方形の底面部材の四辺に隙間なく繋がれた４つの側面部材と、隣り合う前記側面部材の間に隙間なく繋がれた４つの折り代部材と、一対の前記側面部材から延設された一対の固定部材と、他の前記側面部材に繋がれた蓋部材とを備え、
前記固定部材を容器の外側に折り返して着脱自在に係止するための第１の係止部を、前記側面部材に重ねる部材に形成することにより、当該側面部材に穴を開けることなく形成し、当該第１の係止部は、係止する固定部材と側面部材との間に、２つの前記折り代部材を挟持させ、
さらに、前記容器を閉塞した前記蓋部材を着脱自在に係止する第２の係止部を前記固定部材に設けた、折り畳み容器。
【発明の効果】
【００１０】
本発明によれば、食品を持ち運ぶ際、組立容器（折り畳み容器）に食品を入れて持ち運び、この容器を繰り返し使用する、という目的に好適な折り畳み容器を提供することができる。
【図面の簡単な説明】
【００１１】
【図１】本発明の一実施形態を示すシートの展開図
【図２】図１のシートから容器を組み立てる手順の説明図
【図３】図１のシートから容器を組み立てる手順の説明図
【図４】図１のシートから容器を組み立てる手順の説明図
【図５】図１のシートから容器を組み立てる手順の説明図
【図６】図１のシートから容器を組み立てる手順の説明図
【図７】図１のシートから容器を組み立てる手順の説明図
【図８】図１のシートを折り畳む手順の説明図
【図９】図１のシートを折り畳む手順の説明図
【図１０】図１のシートを折り畳む手順の説明図
【図１１】図１のシートを折り畳む手順の説明図
【図１２】容器の第１実施形態を示す斜視図
【図１３】図１２の容器を示す透視図
【図１４】容器の第２実施形態を示す斜視図
【図１５】図１４の容器を示す透視図
【図１６】容器に取っ手付きカバーを装着した使用状態図
【図１７】本発明の更に他の実施形態を示すシートの展開図
【図１８】図１７のシートから容器を組み立てる手順の説明図
【図１９】図１７のシートから容器を組み立てる手順の説明図
【図２０】図１７のシートから組み立てた容器の斜視図
【図２１】図２０に示す容器の透視図
【図２２】図１７のシートを折り畳む手順の説明図
【図２３】図１７のシートを折り畳む手順の説明図
【発明を実施するための形態】
【００１２】
以下、本発明の実施形態を図面に基づいて説明する。本実施形態の折り畳み容器は、図１に示す１枚の樹脂製のシートから組み立てられる。本実施形態においてシートの素材はポリプロピレンである。図１において、シートの外周を示す実線以外の実線は山折りを示し、点線は谷折りを示す。図１では、容器を組み立てた際に、容器の外側となる面を示している。このシートを山折り、谷折りに沿って組み立ててゆくと、最終的に図１２のイメージ及び図１３の透視図に示す容器となる。この容器は蓋付きの容器である。
【００１３】
図１に戻り、シートの構成を説明する。シートの中央には、長方形の底面部材１が配置されている。長方形の底面部材１の四辺には、それぞれの辺と同じ幅の方形の側面部材２〜５が隙間なく繋がっている。各側面部材２〜５の高さは同一である。隣り合う側面部材２と３、３と４、４と５、５と２の間には、折り畳むことによって当該隣り合う側面部材を底面から垂直方向に立ち上げる折り代部材６〜９が当該隣り合う側面部材及び底面部材１の角に隙間なく繋がっている。
【００１４】
長手面の側面部材３と５の外側の辺には、それぞれの辺と同じ幅の略方形の蓋部材１１と１２がそれぞれ隙間なく繋がっている。一方の蓋部材１１の両脇には、蓋を閉じたときに蓋の両脇を閉塞するための耳部材１１ａ及び１１ｂが隙間なく繋がっている。同様に、他方の蓋部材１２の両脇にも、蓋を閉じたときに蓋の両脇を閉塞するための耳部材１２ａ及び１２ｂが隙間なく繋がっている。また、蓋部材を重ねるときに下となる一方の蓋部材１１にはスリット状の差込口１１ｃが形成され、上となる他方の蓋部材１２には、ベロ１２ｃが切り込まれている。一方の蓋部材１１に形成された差込口１１ｃに、他方の蓋部材１２に形成されたベロ１２ｃを引っ掛けることにより、閉塞した蓋同士を連結し固定するようになっている。
【００１５】
また、短手面の側面部材２と４の外側の辺には、折り代部材６〜９を側面に固定する固定部材１３と１４がそれぞれ繋がっている。固定部材１３，１４には、当該固定部材１３，１４を側面部材２，４の外面にそれぞれ固定するためのベロ１３ａ，１４ａが切り込まれている。一方、側面部材２，４には、固定部材１３，１４に形成されたベロ１３ａ，１４ａを引っ掛けるための差込口２ａ，４ａ（第１の係止部）が設けられている。
【００１６】
ここで、側面部材２，４に設けられた差込口２ａ，４ａは、側面部材２，４に切り込みを入れて形成したものではない。側面部材２，４の外面に樹脂製のリボン状の部材１５を重ね、当該リボンの長手方向の両端部を側面部材２，４に溶着し、当該リボンの長手方向に沿ってリボン状の部材１５に差込口２ａ，４ａを形成する。
【００１７】
また、固定部材１３，１４には、蓋部材１２の両脇の耳部材１２ａ，１２ｂを固定するための差込口１３ｂ，１４ｂ（第２の係止部）が切り込まれている。蓋部材１２の両脇の耳部材１２ａ，１２ｂには、固定部材１３，１４に形成された差込口１３ｂ，１４ｂに差し込むためのベロ１２１が形成されている。上述した各差込口は、各ベロを差し込むのに適した位置に、それぞれ配置されている。
【００１８】
次に、このシートから容器を組み立てる過程を図面を参照しつつ説明する。まず、図２に示すように、シートの中央、つまり底面部材１の上に食品を載せる。ここで、図２では容器の内側を示しているので、図１で示した容器の外側とは反対の面を示している。この状態から、図３に示すように、折り代部材６〜９を外側が山になるように折り、固定部材１３，１４が繋がっている側面部材２，４の外面に重なるように折り畳む（図中（１）の矢印）。更に、固定部材１３，１４を側面部材２，４の外面に重なるように折り返し、側面部材２，４の外面と固定部材１３，１４との間に、折り代部材６〜９を挟み込む（図中（２）の矢印）。そして、固定部材１３，１４に形成されたベロ１３ａ，１４ａを、側面部材２，４に設けられた差込口２ａ，４ａに引っ掛ける。これにより、図４に示すように、底面から垂直に４つの側面部材２〜５が立ち上がり固定される。
【００１９】
続いて、図５に示すように、２枚の蓋部材１１，１２を、一方の蓋部材１１が下に、他方の蓋部材１２が上になるように重ね、容器の上方を塞ぐように折り、一方の蓋部材１１に形成された差込口１１ｃに、他方の蓋部材１２に形成されたベロ１２ｃを引っ掛ける。これにより、蓋が閉塞され固定される。
【００２０】
更に、図６に示すように、蓋部材１１，１２の両脇の耳部材１１ａ，１１ｂ，１２ａ，１２ｂを側面部材２，４に沿って折り曲げ、重なりが上となる耳部材１２ａ，１２ｂに形成されたベロ１２１を、固定部材１３，１４に形成された差込口１３ｂ，１４ｂに差し込むことにより、蓋の脇も閉塞され固定される。
【００２１】
ただし、図８のイメージでは、ベロ１２１を差込口１３ｂ，１４ｂに引っ掛けるタイプを示している。蓋を固定部材１３，１４に係止する構造は、ベロ１２１を差込口１３ｂ，１４ｂに差し込む構造でもよいし、ベロ１２１を差込口１３ｂ，１４ｂに引っ掛ける構造でもよい。こうして、図７に示すように、容器の組み立てが完了する。
【００２２】
固定部材１３，１４に対する蓋の両脇の係止が差し込みタイプの場合、組み立てた容器のイメージは、図１２のようになり、その透視図は図１３のようになる。また、固定部材１３，１４に対する蓋の両脇の係止が引っ掛けタイプの場合、組み立てた容器のイメージは、図１４のようになり、その透視図は図１５のようになる。
【００２３】
ここで、一つの固定部材１３のベロ１３ａ及び差込口１３ｂにおける各係止を解除すると、当該固定部材１３と側面部材２との間に挟まれていた折り代部材６，９を開くことができ、当該側面部材２だけを底面部材１と同じ平面に倒して容器の側面だけを開くことが可能であり、側面からの食品の出し入れを行うことができる。
【００２４】
次に、容器を携帯するためにコンパクトに折り畳む方法を説明する。図８に示すように、容器をシート状に戻し、容器の中は空の状態にする。容器をシート状に戻す手順は、上述した組み立てと逆の手順を行えばよい。この状態から図９に示すように、蓋部材１１，１２及び当該蓋部材１１，１２に繋がる側面部材３，５を、底面部材１の内面にＺ状に重畳するように折り畳む。
【００２５】
続いて、図１０に示すように、一方の固定部材１４及び当該固定部材１４に繋がる側面部材４を蓋部材の上に更に重ねるように折り畳み、更に、図１１に示すように、他方の固定部材１３及び当該固定部材１３に繋がる側面部材２を重ねるように折り畳み、最後に、先に折り畳んだ側面部材４の差込口４ａに、後に折り畳んだ固定部材１３のベロ１３ａを引っ掛けることにより、容器のシートがコンパクトに折り畳まれた状態で固定される。
【００２６】
組み立てた容器は、図１６に示すように、取っ手付きのカバーを装着することにより、取っ手を持って持ち運ぶことが可能である。このカバーは、容器の長手方向の幅と同じ幅で帯状に形成されており、当該帯の両端部に取っ手となるアーチが形成されている。帯の長さは、容器の底面部材１、長手面の側面部材３，５及び蓋部材１１，１２を丁度周回する長さに設定されており、容器の上部において帯の両端部に形成されたアーチを対向させることにより当該アーチが取っ手となる。また、帯の両端部には、当該両端部を着脱自在に接続する固定部が設けられており、当該固定部は例えば面ファスナーにより構成される。取っ手を取り外す際は、帯の両端部の固定を解除し、帯を容器から取り外す。このカバーは、図１１のように折り畳んだ容器を包むカバーとして用いることができる。
【００２７】
以上のとおり本実施形態によれば、容器をコンパクトに折り畳んで携帯することができ、また、樹脂製の底面部材１及び側面部材２〜５に穴を開けていないので、使用中に液体物が漏れない構造となっている。かつ、固定部材１３，１４の係止を解除することにより、容器から１枚の樹脂製シートに戻すことができるので、洗って何度も繰り返し使用することができる。更に、容器と蓋とが１枚のシートにより一体になっているので、折り畳んでも容器と蓋とを別々に取り扱う煩わしさもない。また前述のように、容器の側部からも食品の出し入れを行うことができる。
【００２８】
よって、本実施形態によれば、食品を持ち運ぶ際、組立容器（折り畳み容器）に食品を入れて持ち運び、この容器を繰り返し使用する、という目的に好適な折り畳み容器を提供することができる。
【００２９】
次に、本発明の他の実施形態を図１７乃至図２３を参照して説明する。以下の説明において、先に説明した実施形態と対応する部分には、同一の符号を付する。
【００３０】
先の実施形態では、側面部材２，４に、リボン状部材１５を取り付けることにより、側面部材２，４に差込口（第１の係止部）２ａ，４ａを設けた。側面部材２，４に直接差込口を切り込むと、当該切り込みから内容物が漏れ出るおそれがあるため、側面部材２，４に切り込みを入れることなく、リボン状部材１５を取り付けることによって、そこに差込口２ａ，４ａを設けた。
【００３１】
しかしこの場合、側面部材２，４にリボン状部材１５を取り付けるための工程が必要になる。本実施形態は、この工程、即ち、側面部材２，４にリボン状部材１５を取り付けるための工程を不要とする。
【００３２】
図１７は、本実施形態の展開図である。図１に示した先の実施形態の展開図と見比べると、本実施形態では、リボン状部材１５によって形成した差込口２ａ，４ａに代えて、折り代部材６〜９の組み立てたとき外側となる部分に、それぞれ切り込みによる差込口２ａ，４ａを形成している。
【００３３】
また、固定部材１３，１４の形状を略方形に変更し、当該固定部材１３，１４のそれぞれの先端側の２つの角部に、差込口２ａ，４ａの位置に対応したベロ１３ａ，１４ａを切り込みにより形成している。容器を組み立てるとき、各折り代部材６〜９に１つずつ形成した合計４つの差込口に、各固定部材１３，１４に２つずつ形成した合計４つのベロを、それぞれ差し込むようになっている。その他の部分の構成は、前述した先の実施形態と同一である。
【００３４】
そして、容器を組み立てる際は、図１８に示すように、側面部材２〜５を中央に立ち上げ、折り代部材６〜９を、固定部材１３，１４に繋がる側面部材２，４の外側に沿うようにそれぞれ折り曲げる。
【００３５】
続いて、図１９に示すように、折り代部材６〜９の上に固定部材１３，１４を被せ、固定部材１３，１４に形成した合計４ヵ所のベロ１３ａ，１４ａを、折り代部材６〜９の外側に露出した差込口２ａ，４ａに差し込む。また、先の実施形態と同様に、蓋部材１１，１２を閉じて固定すると、容器が完成する。図１９の反対側から見た側面は、図２０のように表れる。また、図２０を透視図により表すと、図２１のように表れる。
【００３６】
容器を折り畳む際は、図２２に矢印で示すように、長手方向の両側面を底面に重ねるように折り畳み、次いで、図２３に矢印で示すように、短手方向の両側面を更に折り重ねる。これにより、先の実施形態と同様に、コンパクトに折り畳んで携帯及び収納することができる。
【００３７】
以上説明した本実施形態によると、先の実施形態とは異なり、側面部材２，４にリボン状部材１５を取り付けるための工程が不要となる。
【００３８】
ここで、本発明の範囲は、上記各実施形態に限定されず、特許請求の範囲に記載した発明の範囲である。例えば、シートは防水性であればよく、具体的な素材の種類などは問わない。また、実施形態の蓋部材は左右にセパレートに分かれていて中央で重なることにより容器を閉塞するが、これを１枚物の蓋部材として当該１枚の蓋部材が容器の上方全体を覆う構造としてもよい。また、各部材間の係止構造は、側面部材に穴を開けるものでなければ、その構造は問わない。また、容器の寸法の割合や図に示すシートの輪郭線の形状が違っていてもよい。
【符号の説明】
【００３９】
１  底面部材
２〜５  側面部材
２ａ，４ａ  差込口（第１の係止部）
６〜９  折り代部材
１１，１２  蓋部材
１１ａ，１１ｂ，１２ａ，１２ｂ  蓋部材に設けられた耳部材
１１ｃ  蓋部材１１に形成された差込口
１２ｃ  蓋部材１２に形成されたベロ
１３，１４  固定部材
１３ａ，１４ａ  固定部材に形成されたベロ
１３ｂ，１４ｂ  固定部材に形成された差込口（第２の係止部）
１５  リボン状部材
１２１  蓋部材１２の耳部材に形成されたベロ
【図１】
0005632038.tif 000002
【図１３】
0005632038.tif 000003
【図１５】
0005632038.tif 000004
【図１７】
0005632038.tif 000005
【図１８】
0005632038.tif 000006
【図１９】
0005632038.tif 000007
【図２１】
0005632038.tif 000008
【図２２】
0005632038.tif 000009
【図２３】
0005632038.tif 000010
【図２】
0005632038.tif 000011
【図３】
0005632038.tif 000012
【図４】
0005632038.tif 000013
【図５】
0005632038.tif 000014
【図６】
0005632038.tif 000015
【図７】
0005632038.tif 000016
【図８】
0005632038.tif 000017
【図９】
0005632038.tif 000018
【図１０】
0005632038.tif 000019
【図１１】
0005632038.tif 000020
【図１２】
0005632038.tif 000021
【図１４】
0005632038.tif 000022
【図１６】
0005632038.tif 000023
【図２０】
0005632038.tif 000024